(57)【特許請求の範囲】
【請求項１】
本体と本体の上端開放面を被蓋する蓋とで構成し、蓋の対向側辺のそれぞれに一定間隔を隔てて外側方へ突出するロックレバー支持部を形成し、該蓋の対向側辺に突出形成したロックレバー支持部間にそれぞれロックレバーの上部両端を軸支し、本体には、前記蓋のロックレバー支持部に軸支されたロックレバー両端の軸支部分を支受する支受部を形成するとともに、ロックレバーを下方に回動させた位置において、ロックレバーの一部が係合する係止部を本体の側辺に突出形成し、本体の支受部と係止部によって本体側方の定位置に保持されるロックレバーに対して蓋を回動自在とする小物入れなどの容器において、
前記ロックレバーの軸支構造は、蓋に形成したロックレバー支持部の対向位置に突出させた円柱状の突起と、該突起に嵌合するべくロックレバーの両端部に突出形成したボスによって構成し、該ボスを本体に形成した支受部に支受させるとともに、ロックレバーのボスには、前記ロックレバー支持部に突出させた突起を無理嵌めすることができる狭小幅であって放射方向に開放される切欠部を形成し、
前記本体の側辺に突出形成する係止部の上面を、閉蓋時に下向きのロックレバーが当接し衝突現象を回避して外方に案内されるように、本体の外側方に向けて下方に傾斜する庇状に形成し、該庇状に形成した係止部の外側面下端にロックレバーに形成した係止爪を係合させることを特徴とする小物入れなどの容器の蓋構造。
【発明の詳細な説明】
【技術分野】
【０００１】
この発明は、複数種類の小物、例えば釘やビスといった施工用小物、釣用の小物などを仕分けして収容する小物入れ、あるいは工具入れといった容器、その他の身容器となる本体と、上端開放面を被蓋する蓋とで構成する容器の蓋構造に関する発明である。特に、蓋を左右両方に開くことができるとともに、脱着が可能な蓋構造に関する発明である。
【背景技術】
【０００２】
容器の蓋構造として、蓋が左右両開きであって脱着可能な構造は、例えば特許文献１によって知られている。特許文献１に開示された発明は、本体の左右両側辺に回動自在に設けたバックル（係止具）を蓋の一部に係脱することによってロックするとともに、蓋を本体に被蓋するに際し、バックルの回転軸と同軸上に蓋のシャフトを配置し、バックルの錠止動作によって蓋のシャフトを支持するようにしたものである。この構造は、バックルによって錠止した蓋のシャフトを支点として蓋を開閉することができる。
【０００３】
特許文献２の図２には、本体に設けた受け部上面の係止溝に、蓋の側辺に設けた係合兼回動軸を支受させ、係合兼回動軸に軸支した操作片を、本体の受け部に係合させ、受け部に支持された操作片の係合兼回動軸を支点として蓋を開閉自在とした構造が開示されている。
特許文献１及び２に開示された発明は、いずれもバックルや操作片によって支持された蓋の側辺部分を支点として蓋が開閉し、両側辺のバックルや操作片を開放すると、蓋を取り外すことができるものである。
【先行技術文献】
【特許文献】
【０００４】
【特許文献１】特開２００３−２０８５２号公報
【特許文献２】特許第３２１０１８２号公報
【発明の概要】
【発明が解決しようとする課題】
【０００５】
特許文献１に開示された発明は、バックルを下から上に持ち上げてロックする構造であるため、必ずしも操作性に優れたものではなく、構造が複雑なものであった。また、蓋を取り外した場合に、バックルが本体に付着したままであるため、蓋を外した本体の取り扱いにバックルが邪魔になる場合がある。
特許文献２に開示された発明は、蓋に操作片を設け、操作片の係合兼回動軸を支点として蓋が開閉するものであるが、部品点数が多く構造が複雑で必ずしも製造が容易ではない。
【０００６】
上記従来技術の欠点に鑑み、本発明は、蓋に取り付けたロックレバーによって蓋と本体を脱着することができるとともに、左右両開きとする蓋構造を、部品点数が少なく、かつ組立が比較的簡単な構造で実現することを目的とするものである。さらに本発明の別の目的は、蓋の開閉動作が安定し、ロックレバーによる係脱を円滑に行うことができる、使い勝手のよい両開きの蓋構造を実現することである。
【課題を解決するための手段】
【０００７】
請求項１記載の本発明に係る容器は、本体１と本体１の上端開放面を被蓋する蓋２とで構成する。蓋２の対向側辺には、それぞれの側辺において、一定間隔を隔てて外側方へ突出するロックレバー支持部４、４を形成し、このロックレバー支持部４、４間にそれぞれロックレバー３の上部両端を軸支する。本体１には、前記蓋２のロックレバー支持部４、４に軸支されたロックレバー３両端の軸支部分を支受する支受部５、５を形成する。さらに、蓋２のロックレバー支持部４、４間に軸支したロックレバー３を下方に回動させた位置において、ロックレバー３の一部が係合する係止部６を、本体１の側辺に突出形成する。
この構成とすることによって、本体１の支受部５と係止部６によって、本体１側辺の定位置に保持されるロックレバー３に対して蓋２を回動自在とする。
【０００８】
さらに、ロックレバー３の軸支構造は、蓋２に形成したロックレバー支持部４、４の対向位置に突出させた円柱状の突起７、７と、該突起７、７に嵌合するべくロックレバーの両端部に突出形成したボス８、８によって構成する。ロックレバー３の両端部に形成したボス８、８は、ロックレバーの軸支部分として、本体１の側方に形成された支受部５に支受させる。
ロックレバー３のボス８、８には、前記ロックレバー支持部４、４に突出させた円柱状の突起７、７を無理嵌めすることができる狭小幅であって放射方向に開放される切欠部９を形成する。
【０００９】
また、本発明では、前記本体１の側辺に突出形成する係止部６の上面を、閉蓋時に下向きのロックレバー３、３が当接して衝突現象を回避し、外方に案内されるように、本体１の外側方に向けて下方に傾斜する庇状に形成する。そして、この庇状に形成した係止部６の外側面下端にロックレバー３に形成した係止爪10を係合させる。
【発明の効果】
【００１０】
請求項１記載の発明によれば、蓋２の左右両側辺部分に配置されたロックレバー３、３の、本体１の係止部６、６に対する係合を外すことによって蓋２を取り外すことができる。また、蓋２の左右両側辺部分に配置されたロックレバー３、３の両方を本体の係止部６に係合させることによって図２に実線で示すように、しっかりと閉蓋することができる。さらに、ロックレバー３、３のいずれか一方の係合を外した状態では、他方のロックレバー３の両端が、本体の支受部５、５にしっかりと支受されるとともに、本体１の側辺に突出形成した係止部６の係合によって、ロックレバー３が安定的に強固に保持される。
【００１１】
この安定的かつ強固に保持されたロックレバー３両端の軸支部分を支点として、蓋２を自由に開閉することができる。すなわち、図２に点線で示すように右側辺部分を支点として、あるいは二点鎖線で示すように左側辺部分を支点として、左右いずれの方向にも開閉することができる。特に、請求項１記載の本発明では、ロックレバー３の両端が支受部５、５に支受されているため、ガタつくようなことがなく、蓋２の開閉を円滑に行うことができる。
【００１２】
さらに、請求項１記載の本発明によれば、ロックレバー３の軸支構造が、蓋２のロックレバー支持部４に突出させた円柱状の突起７と、ロックレバー３の両端部に形成したボス８であるため、軸支構造のために別部品を準備する必用がなく、構造を簡略化することができる。また、ロックレバー３のボス８に形成した切欠部９を通過させて、蓋２の支持部４に形成した突起７をボス８に無理嵌めすることによって、ロックレバー３を簡単に組立或いは分解することができる。
また、ロックレバー３に形成したボス８を本体１の支受部５に支受させることによって、ロックレバーの係止状態が安定する。換言すれば、蓋２の開閉に際してボス８と突起７の軸支位置がしっかりと安定し、蓋２の開閉操作を円滑に行うことができる。
【００１３】
蓋２を左右いずれの方向に閉じる場合においても、ロックレバー３が下方を向いた状態であると、ロックレバー３の下端部が本体１の係止部６に衝突することになる。ところが、本発明では係止部６の上面6aが外方に向けて下方に傾斜する傾斜面であるため、ロックレバー３が下方に移動するにしたがって、傾斜面に沿って外向きに回動して衝突現象を回避することができる。すなわち、蓋２を閉める場合に、常に安定した状態で蓋を閉じることができる。このとき、ロックレバー３の下端は、外方に回動した状態となるため、ロックレバー３の下端部分を内方に押し込むことによって、円滑にロックレバー３を本体１の係止部６にロックすることができる。
ロックレバー３が係止部６に衝突することを回避することは、ロックレバー６に不要な衝撃が作用しないことになるため、軸支構造の損傷を回避することができる。
【図面の簡単な説明】
【００１４】
【図１】図１は、蓋を開けた状態の容器全体の平面図、
【図２】図２は、閉蓋状態を示す、一部切断の側面図、
【図３】図３は、開蓋状態を示す、一部切断の側面図、
【図４】図４は、本体と蓋を分離させた状態の一部分のみの正面図、
【図５】図５は、閉蓋状態の一部分のみの正面図、
【図６】図６は、本体の一部分のみの平面図、
【図７】図７は、図６のVII−VII線断面図、
【図８】図８は、裏面側から見た、ロックレバーの斜視図、
【図９】図９は、蓋の一部分のみの底面図、
【図１０】図１０は、図９のＸ−Ｘ線断面図、
【図１１】図１１は、図５のXI−XI線断面図、
【図１２】図１２は、図５のXII−XII線断面図、
【図１３】図１３は、図５のXIII−XIII線断面図である。
【図１４】図１４は、ロックレバーの別の実施形態を示す正面図、
【図１５】図１５は、図１４のXV−XV線断面図、
【図１６】図１６は、蓋の側壁に保護壁を形成した実施形態を示すものであって、開閉順に示す縦断面図、
【図１７】図１７の（ａ）、（ｂ）は保護壁を形成した実施形態の蓋を反転させてロックレバーを回動させる状態の縦断面図、図17の（ｃ）、（ｄ）は保護壁を形成しない実施形態の蓋を反転させてロックレバーを回動させる状態の縦断面図である。
【発明を実施するための形態】
【００１５】
以下、本発明に係る小物入れなどの容器の蓋構造の実施形態を添付の図面に基づいて説明する。
図１に示すように、本発明に係る容器は、身容器となる本体１と、本体１の上端開放面を被蓋する蓋２とで構成するものであれば、どのような容器にも応用することができる。図１に示す容器は、比較的扁平な小物入れの容器であって、その内部を固定仕切り15と、可動仕切り16によって任意に区画するものに応用した実施形態を示している。
【００１６】
蓋２の対向側辺には、それぞれの側辺において、一定間隔を隔てて外側方へ突出するロックレバー支持部４、４を形成し、ロックレバー支持部４、４間にそれぞれロックレバー３の上部両端を軸支している。一方、本体１の側辺部分には、前記蓋２のロックレバー支持部４、４に軸支されたロックレバー３両端の軸支部分を回動自在に支受する支受部５を形成している。
さらに、本体１には、蓋２の支持部４、４間に軸支したロックレバー３を下方に回動させた位置において、ロックレバー３の一部が係合する係止部６を、本体１の側辺に突出形成している。
【００１７】
ロックレバー３の具体的形状は、図８に示すように横長方形の下辺及び左右両側辺に、裏面に向けて立壁3aを形成して皿状とし、上端の左右両側に円筒状のボス８を外側方に突出させるとともに、ボス８、８間のロックレバー上辺をボス８の上半部を連続させた円弧状に形成している。ロックレバー３の裏面には、下端から一定寸法上方位置の二箇所に、係止爪10、10を配置している。係止爪10は、ロックレバーの裏面に一定高さの突条10aを下辺の立壁3aと平行に形成し、突条10aの先端に上方へ向けて突出する断面円弧状の突部10bを形成している。
【００１８】
本体１の側辺には、外側方に突出させてロックレバー３両端の軸支部分を支受する支受部５、５を形成している。本体１の側辺に形成する支受部５、５は、ロックレバー３の両端に位置するボス８、８のみを支受する位置に形成するものであって、図11や図７に示すようにボス８が嵌入する円弧状の凹部としている。これにより、ボス８は凹部である支受部５に安定的に支受された状態で、蓋が回動可能となる。すなわち、しっかりと固定されているボス８に対して蓋２を軸支していることになる。蓋２の軸支構造は、具体的には蓋の突起７が、ロックレバー３のボス８の嵌合孔12に嵌合し、円滑に回動する。
【００１９】
本体１の側辺には、支受部５にボス８が支受されたロックレバー３を下方へ回動させることによって、ロックレバー３の係止爪10が係合する係止部６を、突出形成している。本体１の側辺に突出形成する係止部６は、前記支受部５との間に略ロックレバー３の立壁3aの厚みよりも僅かに大きな寸法に相当する隙間11を保持し、前記ロックレバー３の立壁3aの内接寸法よりも僅かに短い範囲に、長手方向の係止部６を突出形成している。この構成とすることによって、下方に回動させたロックレバー３の立壁3a内に係止部６が入り込み、ロックレバー３の内面に形成した係止爪10、具体的には突条10aの先端に形成した突部10bが、係止部６の下端に係合することになる。ロックレバー３の突部10bを係止部６の下端に係合させるために、係止部６の下端に断面円弧状の突部6bを形成している。
これにより、図13に示すように、係止爪10の突部10bと係止部６の突部6bがクリック状態にパチンと係合する。
【００２０】
ロックレバー３の両端を蓋２のロックレバー支持部４、４に軸支する軸支構造として、別部材を使用しない構造を工夫している。
すなわち、蓋２に形成したロックレバー支持部４、４の対向位置に、円柱状の突起７、７を突出させる。一方、ロックレバー３の両端には、前記突起７、７が嵌合するボス８、８を突出形成して両者を枢着する。ロックレバー３の両端部に形成するボス８、８の内端は立壁3aの内端と一致させ、外端を側方に突出させている。
【００２１】
蓋２のロックレバー支持部４、４に突出形成する突起７、７は、図１や図９、図10から理解されるように短い円柱状であって、直径をＤとしている。一方、ボス８に形成する嵌合孔12は、突起７が回動可能に嵌合する内径D’とする。ボス８には、放射方向に切欠部９を形成し、切欠部９を通過させて嵌合孔12内に突起７を嵌め込むことができるようにしている。具体的には、ロックレバー３のボス８に、内側から突起７の直径Ｄよりも狭小であって無理嵌めすることができる幅Ｗの切欠部９を形成している。これにより、ロックレバー３を横向きに配置した状態で、図10に矢印で示すように、蓋２の上方からボス８の嵌合孔12に突起７を強く押し込むことによって無理嵌めすることができる。
【００２２】
図５及び図11に示すように、本体１の支受部５はロックレバー３のボス８部分だけを支受する幅の狭いものとしている。支受部５の外方は、図７に示すように支受部５よりも一段低い切除面13とし、蓋２の開閉に際してロックレバー支持部４が回動し易いように切除面13との間に隙間が形成されるようにしている。換言すれば狭い幅の支受部５で、ボス８部分を確実に支受する構造としている。
【００２３】
本体１の側辺に突出形成する係止部６は、図３に示すように上面6aを本体の外側方に向けて下方に傾斜する庇状に形成している。これにより、図３に実線で示すように、ロックレバー３が下向きの状態で閉蓋しようとした場合に、ロックレバー３の下端が二点鎖線で示すように傾斜面である係止部６の上面6aに当接し、ロックレバー３の下端を外方に案内する。従って、係止部６上面6aの傾斜角度αは、当接したロックレバー３の先端部分を円滑に外方へ案内することができる角度とする。傾斜角度が小さ過ぎると衝突現象を回避することができない。図13に示す実施形態では、角度αを略40度とし、外側面に短い垂直壁6cを形成し、その下端にロックレバー３を係止させるようにしている。
【００２４】
係止部６の下端に、ロックレバー３に形成した係止爪10を係合することができるものであるが、図１や図８に示すように、図示実施形態では係止部６に係合する係止爪10をロックレバー３の左右二箇所に形成している。係止爪10が係合する突部6bは、係止部６の全長に形成されるものであってもよいが、図４に示す実施形態では、ロックレバー３に形成した係止爪10と対応する位置にのみ形成している。
【００２５】
ロックレバー３には、裏面に向けてストッパー14を突出させている。ストッパー14は、ロックレバー３の左右両側の立壁3aの一部を、裏面方向に延長するように突出形成している。ロックレバー３の左右両側の立壁3a部分に突出形成されたストッパー14は、図12に示すように、ロックレバー３を内方に回動させた場合に、その先端部分が蓋２の下端に当接し、ロックレバー３の過回動を防止するものである。
閉蓋時において、ストッパー14は、本体１の支受部５と係止部６の隙間11を通過し、蓋２の開閉動作の邪魔になることはない。
【００２６】
図14及び15は、ロックレバー３の変形の実施形態を示すものである。このロックレバー３は、上端部に外方に向けて傾斜する傾斜面17を形成したものである。傾斜面17は、ロックレバーの回転中心を通過する垂直方向の中心線Ｘとの直交面に対して、外側方に向けて、例えば図15（a）に示すように角度βを略20度程度の角度で傾斜させている。
【００２７】
図14、15に示す実施形態では、例えば蓋の係合を外す場合、図15（b）に示すようにロックレバー３を上方に向けて回動させる。このとき、ロックレバーの上端が円弧状断面であると、ロックレバー３の上端部に置いた手指が、ロックレバー３と蓋２の側壁の間に引き込まれる可能性がある。これに対して、図15に示す実施形態の場合、ロックレバー３を回動させる際に、傾斜面17と蓋２の側壁2aの間に存在する手指Ａには、図15（b）に矢印で示すようにロックレバーの回動力の反力が、手指を上方へ押し出す力Ｆとして作用する。そのため、ロックレバー３を回動させる場合に、ロックレバー３と蓋２の隙間に、手指Ａが引き込まれる可能性をなるべく少なくすることができる。
【００２８】
図16は、蓋の変形実施形態を示す縦断面図である。この実施形態は、蓋２の側壁2aうち、ロックレバー３が装着されるロックレバー支持部４、４間の側壁2aに、下方に延長させた保護壁18を形成したものである。保護壁18は、図16（ａ）に示すようにロックレバー３の回転中心Ｏ、すなわち突起７の中心を中心とする断面円弧状とし、図16（ｂ）や図16（ｃ）に示すようにロックレバー３の回動に支障を生じないようにしている。
この実施形態では、本体１に蓋２を装着したときに、保護壁18の下方に係止部６が位置することになる。そのため、係止部６の上面6aを保護壁18の形状に倣った凹弧状に形成している。
【００２９】
ロックレバー３の上端部に、外方に向けて傾斜する傾斜面17を形成した実施形態では、先に述べたように、開蓋に際してロックレバー３と蓋２の隙間に手指Ａが引き込まれる可能性をなるべく少なくすることができる。ところが、図17（ｃ）、図17（ｄ）に示すように、蓋２を反転させた状態でロックレバー３を回動させると、蓋２の側壁2aの間に手指が引き込まれる可能性がある。これに対して、保護壁18を設けたものでは、図17（ａ）及び図17（ｂ）に示すように本体から取り外した蓋２の取り扱いに際しても、手指を挟む虞がないものとすることができる。
【符号の説明】
【００３０】
１…本体、  ２…蓋、  2a…側壁、  ３…ロックレバー、  3a…立壁、  ４…ロックレバー支持部、  ５…支受部、  ６…係止部、  6a…上面、  6b…突部、  6c…垂直壁、  ７…突起、  ８…ボス、  ９…切欠部、  10…係止爪、  10a…突条、10b…突部、  11…隙間、  12…嵌合孔、  13…切除面、  14…ストッパー、  15…固定仕切り、  16…可動仕切り、  17…傾斜面、  18…保護壁、  Ａ…手指、  Ｆ…押し出す力。
【図１】
0005634783.tif 000002
【図２】
0005634783.tif 000003
【図３】
0005634783.tif 000004
【図４】
0005634783.tif 000005
【図５】
0005634783.tif 000006
【図６】
0005634783.tif 000007
【図７】
0005634783.tif 000008
【図８】
0005634783.tif 000009
【図９】
0005634783.tif 000010
【図１０】
0005634783.tif 000011
【図１１】
0005634783.tif 000012
【図１２】
0005634783.tif 000013
【図１３】
0005634783.tif 000014
【図１４】
0005634783.tif 000015
【図１５】
0005634783.tif 000016
【図１６】
0005634783.tif 000017
【図１７】
0005634783.tif 000018